(57)【要約】      （修正有）【課題】片手での操作によっても容器から所定数の錠剤を取出すことができ、錠剤の取出しが容易で使い勝手のよい振出容器を提供する。【解決手段】ハウジング２と、ハウジングに形成された錠剤取出口４と、錠剤５を錠剤取出口に臨む位置まで送り出す錠剤送出機構２０を備えている。錠剤送出機構は、付勢部２６に抗しながら押圧操作することにより休止位置から錠剤取出し位置まで錠剤を移動させる操作子２１と、操作子の傾動を案内する第１のガイド壁３５を含んで構成されている。操作子は、操作部２２と閉塞部２３とポケット部２４とを備えている。第１のガイド壁は、操作子が錠剤取出し位置に移行するときには操作子とでポケット部を囲成してポケット部内の錠剤を他の錠剤から隔離する。付勢部は弾性を賦与して形成され、一端部が閉塞部に連続し、他端部がハウジングの外周部の周壁始端側に連続している。【選択図】図３
0003158443.tif 000002
【実用新案登録請求の範囲】
【請求項１】
内部に錠剤収容空間を備えたハウジングと、該ハウジングに形成された錠剤取出口と、前記ハウジング内に収容される錠剤を前記錠剤取出口に臨む位置まで送り出す錠剤送出機構を備えた振出容器であって、
前記錠剤送出機構は、
付勢部により外方に付勢され付勢部に抗しながら押圧操作することにより休止位置から錠剤取出し位置まで錠剤を移動させる操作子と、
前記ハウジング内に形成され前記操作子の傾動を案内する第１のガイド壁と、
前記操作子を外方に付勢する付勢部とを含んで構成され、
前記操作子は、
外部に露出した操作部と、
該操作部と連続して形成され、前記操作子が休止位置にあるときには前記錠剤取出口を閉塞し、前記操作部を操作することにより前記第１のガイド壁に沿って傾動する閉塞部と、前記操作部と前記閉塞部との間に形成され、振り出される少なくとも１個の錠剤を収容するスペースを有するポケット部とを備え、
前記第１のガイド壁は、前記操作子が休止位置にあるときには錠剤を振り出す際に前記ポケット部に錠剤を導き、前記操作子が錠剤取出し位置に移行するときには前記操作子とで前記ポケット部を囲成して前記ポケット部内の錠剤を他の錠剤から隔離し、さらに前記操作子が錠剤取出し位置にあるときには一端が前記操作子に衝接して前記操作子の可動を阻止するストッパとして機能し、
前記付勢部は弾性を賦与して形成され、一端部が前記閉塞部に連続し、他端部が前記ハウジングの外周部の周壁始端側に連続していることを特徴とする振出容器。
【請求項２】
前記付勢部を弾性を賦与して形成し、一端部が前記閉塞部に連続し、他端部が前記ハウジングの外周部の周壁始端側より内方に延出して形成された第２のガイド壁に連続し、該第２のガイド壁は前記閉塞部の上方への動きを規制することを特徴とする請求項１に記載の振出容器。
【請求項３】
前記ハウジングは容器本体と蓋体を嵌合することによって形成され、錠剤を複数個収容可能とする錠剤収容空間がハウジング内に形成されることを特徴とする請求項１または２に記載の振出容器。
【請求項４】
前記容器本体は外周部より内方に延出して形成された第２のガイド壁を備え、該第２のガイド壁と前記閉塞部を弾性部を介して連続して形成し、前記操作子は常時錠剤取出位置から休止位置に付勢されることを特徴とする請求項３に記載の振出容器。
【請求項５】
前記ポケット部は第１のガイド壁に沿って導かれた錠剤を所定数だけ収容し、前記ハウジング外に露出した前記操作部を押込むことにより前記第１のガイド壁に沿って前記閉塞部が移動する過程においてポケット部を隔離するよう形成されていることを特徴とする請求項４に記載の振出容器。
【請求項６】
前記蓋体には錠剤を取り出せる錠剤取出口が形成され、前記操作部を介して押込まれた前記操作子が前記第１のガイド壁のストッパに衝接した状態で所定数の錠剤を取出せるよう構成されていることを特徴とする請求項３に記載の振出容器。
【請求項７】
前記第１のガイド壁は、操作子の押込み限度位置を決定するとともに、前記ポケット部との間で形成される空間によって錠剤の取出し数を特定することを特徴とする請求項１乃至６いずれか一項に記載の振出容器。
【請求項８】
前記ハウジングを偏平に形成し、前記ハウジングの錠剤収容空間における同一平面上において錠剤の移動、取出しを行うことを特徴とする請求項１乃至７いずれか一項に記載の振出容器。
【考案の詳細な説明】
【技術分野】
【０００１】本考案は、容器に収容された内容物、たとえば、タブレット状の内容物を片手の操作により所定個数ずつ取出すのに好都合な振出容器に関するものである。
【背景技術】
【０００２】振出容器に設けた取出口から容器に収容された錠剤、粒状・玉状の菓子等の内容物（以下、本明細書では「錠剤」という。）を取出すにあたり、片手による簡単な操作で所定数の錠剤を確実に取出すことができる、偏平にして小型の容器の出現が望まれている。【０００３】従来、容器本体と蓋体とを相対スライド可能に連結し、内部に複数の錠剤を収容する収容空間を備えた振出容器や（特許文献１）、ハウジング内に錠剤容器を有し、錠剤容器が往復式に摺動可能に取り付けられ、錠剤容器を休止位置から錠剤分配位置へスプリングの作用に抗して移動可能に形成し錠剤を個々に分配する錠剤ディスペンサー（特許文献２）が提案されている。
【先行技術文献】
【０００４】
【特許文献１】特開２００９−８３８９８号公報
【特許文献２】特開２００８−５３９１４４号公報
【考案の概要】
【考案が解決しようとする課題】
【０００５】しかしながら、特許文献１に開示された振出容器にあっては、
（１）容器本体の床部は容器本体裏面に対し上げ底に形成され休止位置から取出位置へ操作する際に、容器本体と蓋体を相対移動させるために操作時には通例両手を使う必要があり、手先が不自由な使用者にとっては利便性に欠ける、
（２）内容物の収容空間から取出空間が一段下る構造のため、内容物約２個分の高さを必要とし容器が嵩張る、
等の問題点があった。【０００６】また特許文献２に開示された錠剤ディスペンサーにあっては、
（１）錠剤容器は、容器が開口第一端部の方に位置する休止位置と、閉鎖第２端部の方に位置する錠剤分配位置との間を往復式に摺動可能にハウジング内に装着され、内容物の自重による落下を期待して垂直に立てた状態で保持して容器底部から振り出さなければならず、直接口に運ぶ場合には不自然な動作を強要されることになり使い勝手が悪い、
（２）ハウジングの内側を錠剤容器が往復式に摺動する構造に形成されているため二重構造とならざるを得ず、また、ハウジング内を往復する錠剤容器のストローク分の内部スペースをハウジングが必要とするためハウジングが深度の深いものとなり、スモールサイズの錠剤ディスペンサーを形成することが難しく、部品点数も多くなり製造の困難性も伴う、
等の問題点があった。【０００７】したがって、本考案の目的は、片手での操作によっても容器から所定数の錠剤を取出すことができ、錠剤の取出しが容易で使い勝手のよい振出容器を提供することにある。【０００８】本考案の他の目的は、部品点数が少なく設計・製造が容易であるとともに錠剤を効率よく取出すことができる、偏平にして小型の振出容器を提供することにある。
【課題を解決するための手段】
【０００９】本考案に係る振出容器は、内部に錠剤収容空間を備えたハウジングと、該ハウジングに形成された錠剤取出口と、前記ハウジング内に収容される錠剤を前記錠剤取出口に臨む位置まで送り出す錠剤送出機構を備えている。前記錠剤送出機構は、付勢部により外方に付勢され付勢部に抗しながら押圧操作することにより休止位置から錠剤取出し位置まで錠剤を移動させる操作子と、前記ハウジング内に形成され前記操作子の傾動を案内する第１のガイド壁と、前記操作子を外方に付勢する付勢部とを含んで構成されている。前記操作子は、外部に露出した操作部と、該操作部と連続して形成され、前記操作子が休止位置にあるときには前記錠剤取出口を閉塞し、前記操作部を操作することにより前記第１のガイド壁に沿って傾動する閉塞部と、前記操作部と前記閉塞部との間に形成され、振り出される少なくとも１個の錠剤を収容するスペースを有するポケット部とを備えている。前記第１のガイド壁は、前記操作子が休止位置にあるときには錠剤を振り出す際に前記ポケット部に錠剤を導き、前記操作子が錠剤取出し位置に移行するときには前記操作子とで前記ポケット部を囲成して前記ポケット部内の錠剤を他の錠剤から隔離し、さらに前記操作子が錠剤取出し位置にあるときには一端が前記操作子に衝接して前記操作子の可動を阻止するストッパとして機能する。前記付勢部は弾性を賦与して形成され、一端部が前記閉塞部に連続し、他端部が前記ハウジングの外周部の周壁始端側に連続している。【００１０】前記付勢部を弾性を賦与して形成し、一端部が前記閉塞部に連続し、他端部が前記ハウジングの外周部の周壁始端側より内方に延出して形成された第２のガイド壁に連続し、該第２のガイド壁は前記閉塞部の上方への動きを規制するようにしてもよい。【００１１】ハウジングは容器本体と蓋体を嵌合することによって形成され、錠剤を複数個収容可能とする錠剤収容空間がハウジング内に形成される。【００１２】容器本体は外周部より内方に延出して形成された第２のガイド壁を備え、第２のガイド壁と閉塞部を弾性部を介して連続して形成し、操作子は常時錠剤取出位置から休止位置に付勢されるようにすることができる。【００１３】ポケット部は第１のガイド壁に沿って導かれた錠剤を所定数だけ収容する。ハウジング外に露出した操作部を押込むことにより第１のガイド壁に沿って閉塞部が移動する過程においてポケット部を隔離するよう形成されている。【００１４】蓋体には錠剤を取り出せる錠剤取出口が形成され、操作部を介して押込まれた操作子が第１のガイド壁のストッパに衝接した状態で所定数の錠剤を取出せるよう構成する。【００１５】操作子は押圧を解除すると原状に復帰する。【００１６】第１のガイド壁は、操作子の押込み限度位置を決定するとともに、ポケット部との間で形成される空間によって錠剤の取出し数を特定する（取出し数を上回る数の錠剤からポケット部を隔離する）。【００１７】ハウジングを偏平に形成し、ハウジングの錠剤収容空間における同一平面上において錠剤の移動、取出しを行うようにする。【００１８】本考案に係る振出容器は熱可塑製材料を用いて作製することができる。好ましい熱可塑製材料は、たとえば、ポリアセタール、ポリオレフィン（ポリプロピレンおよびポリエチレン等）、ポリエステル（ポリブチレンテレフタレートおよびポリエチレンテレフタレート等）、ポリカーボネート、ポリスチレン、アクリロニトリルーブタジェンースチレン（ＡＢＳ）、およびこれらの混合物から選択される。
【考案の効果】
【００１９】上記構成を備えた本考案によれば次の効果を奏する。
（１）操作子は第１のガイド壁に沿って導かれた錠剤を特定数だけ収容するポケット部を備えており、容器外に露出した操作部を片手にて押込むことにより、閉塞部が第１のガイド壁に沿って傾動する過程においてポケット部の内外を隔離するため、操作子が、第１のガイド壁の一端ストッパーに衝接した時点で錠剤を錠剤取出口から所定数だけ取出すことができる振出容器が得られる。
（２）操作子が弾性部材により付勢されているため、使用者が指を離すだけで操作子は取出し位置から休止位置に復帰（原状復帰）し、取出口は閉鎖されるため閉鎖動作が不要で使い勝手が良い振出容器が得られる。
（３）容器本体と操作子とが付勢手段を介して弾性的に連続するよう形成されており、容器本体と蓋体との２つの部材のみでハウジングを形成できるので、部材に無駄がなく製造の容易な振出容器が得られる。
【図面の簡単な説明】
【００２０】
【図１】本考案の第１の実施例に係る振出容器を片手に保持した状態を示し、振出容器が片手で操作可能なことを示す斜視図である。
【図２】図１の振出容器を容器本体と蓋体とに分離した状態を示す斜視図である。
【図３】図１の振出容器を構成する操作部が休止位置にあり、蓋体の一部を切り欠いて示す斜視図である。
【図４】振出容器が図３の状態にあるときの要部を示す正面略図である。
【図５】振出容器の操作部が図３の状態から錠剤取出し位置に移行した状態を示し、蓋体の一部を切り欠いて示す斜視図である。
【図６】振出容器が図５の状態にあるときの要部を示す正面略図である。
【図７】本考案の第２の実施例に係る振出容器を片手に保持した状態を示し、振出容器が片手で操作可能なことを示す斜視図である。
【図８】図７の振出容器を容器本体と蓋体とに分離した状態を示す斜視図である。
【図９】成型して得た容器本体の斜視図である。
【図１０】図７に示す振出容器を構成する操作部が休止位置にあり、蓋体の一部を切り欠いて示す斜視図である。
【図１１】振出容器が図１０の状態にあるときの要部を示す正面略図である。
【図１２】振出容器の操作部が図１０の状態から錠剤取出し位置に移行した状態を示し、蓋体の一部を切り欠いて示す斜視図である。
【図１３】振出容器が図１２の状態にあるときの要部を示す正面略図である。
【考案を実施するための形態】
【実施例】
【００２１】以下に、本願の振出容器の実施例について図面を用いて説明する。【００２２】（実施例１）
図１乃至図６において、振出容器１は、内部に錠剤収容空間３を備えたハウジング２と、該ハウジングに形成された錠剤取出口４と、前記ハウジング内に収容される錠剤５を前記錠剤取出口に臨む位置まで送り出す錠剤送出機構２０を備えている。【００２３】前記ハウジング２は、容器本体１０と蓋体３０を嵌合することにより形成される。【００２４】前記容器本体１０は、床部１１を備え、該床部の周囲には周壁始端１３と周壁終端１４を有する外周壁１２が形成され、扁平なトレイ状に形成される（図２）。この容器本体１０と蓋体３０を一体化すると、内部に錠剤収容空間３が形成され複数個の錠剤（内容物）５が収容される。【００２５】前記床部１１には前記外周壁１２の周壁始端１３から内部（内方）に向かって湾曲した第２のガイド壁１５が立設される。該第２のガイド壁１５の終端２７は曲設（折返）してばね性を賦与し後述の付勢部２６に連続している。また、前記外周壁１２の周壁終端１４は曲設（折返）して後述の操作子２１の回動に寄与する枢軸部２８を形成している。【００２６】前記蓋体３０は、天板３１と、天板周囲に形成された外周壁３２より形成される。前記蓋体３０を本体容器１０に取り付けた時、前記蓋体３０の外周壁３２を前記容器本体１０の外周壁１２の外側に位置させて嵌合し一体化する。符号３８は前記天板３１と外周壁３２の一部を切り欠いた切欠部である。【００２７】前記蓋体３０には前記錠剤取出口４が形成され、前記天板３１の内壁頂面より第１のガイド壁３５が垂設される（図２）。【００２８】前記錠剤送出機構２０は、付勢部により外方に付勢され付勢部に抗しながら押圧操作することにより休止位置から錠剤取出し位置まで錠剤５を移動させる操作子２１と、前記ハウジング内に形成され前記操作子２１の傾動を案内する第１のガイド壁３５と、前記操作子を外方に付勢する付勢部２６とを含んで構成されている。【００２９】前記操作子２１は、前記蓋体３０の切欠部３８より一部が外部に露出した操作部２２と、前記操作部２２と連続して形成され、前記操作子が休止位置にあるときには前記錠剤取出口４を閉塞し、前記操作部２２を操作することにより前記第１のガイド壁３５に沿って傾動する閉塞部２３と、前記操作部２２と前記閉塞部２３との間に形成され、振り出される少なくとも１個の錠剤を収容するスペース２５を有するポケット部２４とを備えている。図２乃至図６ではポケット部２４に錠剤が１個当て収容される。【００３０】前記第１のガイド壁３５は、前記操作子２１が休止位置にあるときには錠剤５を振り出す際に前記ポケット部２４に錠剤５を導き、前記操作子２１が錠剤取出し位置に移行するときには前記操作子２１とで前記ポケット部２４を囲成して前記ポケット部内に収容される錠剤５を他の錠剤から隔離し、さらに前記操作子が錠剤取出し位置にあるときには一端（３６）が前記操作子２１に衝接して前記操作子の可動を阻止するストッパとして機能する。【００３１】前記付勢部２６は弾性を賦与して形成され、一端部は前記閉塞部２３に連続し、他端部は前記ハウジング２の外周部の周壁始端１３側より内方に延出して形成された第２のガイド壁１５に連続している。該第２のガイド壁１５は前記閉塞部２３の上方への動きを規制する。【００３２】次に図３乃至図６参照して、振出容器１から錠剤５が所定数振り出される機構について説明する。【００３３】図３及び図４に示す状態では操作子２１は休止位置にあり付勢部２６により閉塞部２３が蓋体３０の錠剤取出口４を塞いでおりポケット部２４と錠剤収容空間３は連通しポケット部は錠剤収容空間の一部を形成した状態にある。この状態で振出容器１を錠剤取出口４側に傾けると錠剤５の所定数（ここでは１個）が第１のガイド壁３５に案内されてポケット部２４に収容される。【００３４】図３及び図４の状態にある操作子２１を操作し操作部２２が第１のガイド壁３５の一端３６に衝接する位置まで閉塞部２３を傾動させると（図５及び図６）、ポケット部２４は錠剤取出口４と連通する。この状態ではポケット部２４内の錠剤５は錠剤収容空間３の錠剤５から隔離される。かくして、錠剤取出口４から取出される錠剤はポケット部２４と第１のガイド壁２６とにより形成される空間に取り込まれた個数の錠剤のみである。図５及び図６では常に錠剤１個だけが取出されることになる。【００３５】かくして、振出容器１によれば片手での操作によって振出容器から錠剤（内容物）を取出すことができる。【００３６】（実施例２）
図７〜図１３に振出容器の第２の実施例を示す。
図７〜図１３において、振出容器５１は、内部に錠剤収容空間５３を備えたハウジング５２と、ハウジングに形成された錠剤取出口５４と、ハウジング内に収容される錠剤５５を錠剤取出口５４に臨む位置まで送り出す錠剤送出機構７０を具備している。【００３７】実施例２が、
（１）錠剤送出機構７０を具備している点；
（２）錠剤送出機構が、付勢部７６により外方に付勢され付勢部に抗しながら押圧操作することにより休止位置から錠剤取出し位置まで錠剤５５を移動させる操作子７１と、ハウジング内に形成され操作子の傾動を案内する第１のガイド壁６５Ａ，６５Ｂと、操作子を外方に付勢する付勢部７６を含んで構成されている点；
（３）操作子７１が、前記蓋体８０の切欠部８８より一部が外部に露出した操作部７２と、操作部と連続して形成され操作子が休止位置にあるときには錠剤取出口５４を閉塞し操作部７２を操作することにより第１のガイド壁６５Ａに沿って傾動する閉塞部７３と、操作部７２と閉塞部７３との間に形成され、振り出される少なくとも１個の錠剤を収容するスペース７５を有するポケット部７４とを備えている点；
（４）第１のガイド壁６５Ａ，６５Ｂは、操作子７１が休止位置にあるときには錠剤を振り出す際にポケット部７４に錠剤を導き、操作子７１が錠剤取出し位置に移行するときには操作子７１とでポケット部７４を囲成してポケット部内の錠剤５５を他の錠剤から隔離し、さらに操作子が錠剤取出し位置にあるときには一端６６が操作子７１に衝接して操作子７１の可動を阻止するストッパとして機能する点；
（５）付勢部７６は弾性を賦与して形成され、一端部が閉塞部に連続し、他端部がハウジング５２（容器本体６０）の外周壁６２の周壁始端６３側に連続している点；
は第１の実施例と同じであるが、実施例２が
（６）容器本体６０と操作子７１との連続部を図９に示すように容器本体６０の周壁始端６３に１箇所当てだけ設け、この連続部が枢軸部７８を構成している点；
（７）第１のガイド壁６５Ａ，６５Ｂを容器本体の床部６１より立設し、容器本体６０を、プラスチック樹脂成型により操作子の一端を自由端とした状態で成型し得る点；
が第１の実施例と異なる。第１の実施例と異なる点について以下に説明する。【００３８】（容器本体６０）
上記のように、閉塞部７３と枢軸部７８は付勢部７６を介して連続して形成され、枢軸部７８は図９における左上方部に１箇所当て設けている。第１の実施例では容器本体１０に第２のガイド壁１５を設けているが、実施例２では蓋体８０の外周壁８２の内面８５が第２のガイド壁となり（を代用し）、錠剤収容空間５３を広く形成している。【００３９】また、この枢軸部７８の形成位置を変更することにより枢軸部７８を中心として閉塞部７３を反時計回りに展開した形状で樹脂成型でき、製造に係る金型の製作が容易かつ廉価となる（実施例１では閉塞部２３の回転中心は容器本体１０の周壁終端１４に形成した枢軸部２８によるが、実施例２では閉塞部７３が図１２及び図１３に示す傾動であるために傾動の精度が保たれるので、より少ない力で内容物の取出しが可能となる。【００４０】（蓋体８０）
蓋体８０には錠剤取出口５４が形成されるとともに、上記のとおり外周壁内面は操作子７１の傾動を案内する第２のガイド壁８５を形成している。第１のガイド壁６５Ａ，６５Ｂは容器本体６０側に形成される。【００４１】操作子７１を付勢手段７６に抗しながら押圧操作することにより、図１０及び図１１の位置にある操作子７１は休止状態から図１２及び図１３の錠剤取出位置に移行する。【００４２】かくして、振出容器５１によれば片手での操作によって振出容器から錠剤（内容物）を取出すことができる。
【符号の説明】
【００４３】１          振出容器
２          ハウジング
３          錠剤収容空間
４          錠剤取出口
５          錠剤
１０        容器本体
１１        床部
１２        外周壁
１３        周壁始端
１４        周壁終端
１５        第２のガイド壁
２０        錠剤送出機構
２１        操作子
２２        操作部
２３        閉塞部
２４        ポケット部
２５        スペース
２６        付勢部
２７        終端
２８        枢軸部
３０        蓋体
３１        天板
３２        外周壁
３５        第１のガイド壁
３６        一端（ストッパ）
３８        切欠部
５１        振出容器
５２        ハウジング
５３        錠剤収容空間
５４        錠剤取出口
５５        錠剤
６０        容器本体
６１        床部
６２        外周壁
６３        周壁始端
６５Ａ      第１のガイド壁
６５Ｂ      第１のガイド壁
６６        一端（ストッパ）
７０        錠剤送出機構
７１        操作子
７２        操作部
７３        閉塞部
７４        ポケット部
７５        スペース
７６        付勢部
７８        枢軸部
８０        蓋体
８２        外周壁
８５        第２のガイド壁
８８        切欠部
【図１】
0003158443.tif 000003
【図２】
0003158443.tif 000004
【図３】
0003158443.tif 000005
【図４】
0003158443.tif 000006
【図５】
0003158443.tif 000007
【図６】
0003158443.tif 000008
【図７】
0003158443.tif 000009
【図８】
0003158443.tif 000010
【図９】
0003158443.tif 000011
【図１０】
0003158443.tif 000012
【図１１】
0003158443.tif 000013
【図１２】
0003158443.tif 000014
【図１３】
0003158443.tif 000015